(57)【特許請求の範囲】
【請求項１】
エレベータかごの移動の要求を示すエレベータ呼びが発生したか否かに基づいて通報を行うエレベータ通報装置であり、
建物の階毎に、当該階が居住するための住居階であるか、または住居階以外の用途で使用される階であるかを示す階属性データを記憶する記憶部と、
建物の各階に設置されると共に設置された階にいる人を検出する人検出センサにより人の検出がされた検出階を特定する検出階特定部と、
前記検出階特定部により住居階が前記検出階として特定されたか否かを前記階属性データに基づいて判定する通報部とを備え、
前記通報部は、前記検出階特定部により住居階が前記検出階として特定された場合、前記検出階特定部により住居階が前記検出階として特定されてから所定の時間内に前記検出階でエレベータ呼びが発生したか否かを判定し、
前記通報部は、前記検出階特定部により住居階が前記検出階として特定されてから前記所定の時間内に前記検出階でエレベータ呼びが発生しなかった場合、所定の通報先に通報を発信する
ことを特徴とするエレベータ通報装置。
【請求項２】
前記エレベータ通報装置は、さらに、
各階で発生するエレベータ呼びを検出するエレベータ呼び検出部と、
前記検出階特定部により前記検出階が特定されてから前記所定の時間の経過を検出する時間検出部とを備え、
前記通報部は、
前記時間検出部により前記所定の時間の経過が検出されるまでに前記エレベータ呼び検出部により前記検出階のエレベータ呼びが検出されなかった場合、前記検出階の確認を要求する通報を前記所定の通報先に発信する
ことを特徴とする請求項１記載のエレベータ通報装置。
【請求項３】
前記エレベータ通報装置は、さらに、
前記所定の時間と前記所定の通報先との少なくともいずれかを設定値として含んだ通報条件設定データを記憶する通報条件設定データ記憶部と、
前記通報条件設定データに対する指定値を入力する通報条件設定データ入力部と、
前記通報条件設定データ入力部により入力された前記指定値に基づいて、前記通報条件設定データ記憶部に記憶されている前記通報条件設定データの設定値を変更する通報条件設定データ変更部と
を備えたことを特徴とする請求項１または請求項２記載のエレベータ通報装置。
【請求項４】
請求項１〜請求項３いずれかに記載のエレベータ通報装置を備えたエレベータ装置。
【発明の詳細な説明】
【技術分野】
【０００１】
本発明は、例えば、住人の安否確認や不法侵入について通報を行うエレベータ通報装置およびエレベータ装置に関するものである。
【背景技術】
【０００２】
従来のエレベータ制御装置においては、かご内で病人や老人が倒れるなどの緊急事態が発生した場合に、この緊急事態を監視センタへ通報する装置がある（特許文献１）。
また、エレベータの運行状況を監視し、必要に応じて管理者あるいはビルテナントに状況を通報する装置がある（特許文献２）。
【特許文献１】実開平５−１７６９号公報
【特許文献２】特開２００６−５６６７７号公報
【特許文献３】特開平８−１１９５４７号公報
【特許文献４】特開２００１−１３９２４８号公報
【発明の開示】
【発明が解決しようとする課題】
【０００３】
従来のエレベータ制御装置は、かご内で住人に異常が発生した場合のみ通報を行うものである。また、エレベータの運行状況を通報するものもあったが、エレベータの運行状況を報知するだけで、住人の異常を通報するものではなかった。
【０００４】
本発明は、例えば、集合住宅などにおいて、居室やエレベータ乗場など、エレベータかご外で住人に異常事態が発生した場合に、住人をそのまま放置させないように、外部に通報を行えるようにすることを目的とする。
【課題を解決するための手段】
【０００５】
本発明のエレベータ通報装置は、エレベータかごの移動の要求を示すエレベータ呼びが発生したか否かに基づいて通報を行うエレベータ通報装置であり、建物の各階に設置されると共に設置された階にいる人を検出する人検出センサにより人の検出がされた検出階を特定する検出階特定部と、前記検出階特定部により前記検出階が特定されてから所定の時間内に前記検出階でエレベータ呼びが発生しなかった場合、所定の通報先に通報を発信する通報部とを備える。
【発明の効果】
【０００６】
本発明によれば、例えば、集合住宅などにおいて、居室やエレベータ乗場など、エレベータかご外で住人に異常事態が発生した場合に、住人をそのまま放置させないように、外部に通報を行うことができる。
【発明を実施するための最良の形態】
【０００７】
実施の形態１．
図１は、各実施の形態におけるエレベータ通報システム１０１のイメージ図である。
実施の形態１におけるエレベータ通報システム１０１の概要について、図１に基づいて以下に説明する。
【０００８】
実施の形態１におけるエレベータ通報システム１０１は、人を検出する人検出センサ３１３が、各階において、エレベータ３００のドア部分、エレベータかご内、エレベータ乗場（廊下）、各居室３１５のドア部分、各居室３１５内などに設置されている。人検出センサ３１３は、設置されている階（以下、乗場階という）に人がいるか否か（乗場階に人が来たか否か）を検出し、人を検出したことを示す人検出信号を後述するエレベータ通報装置２００（図示省略）に出力する。例えば、人検出センサ３１３には、赤外線により人を感知する赤外線センサ、撮像した画像に映っている人を画像処理により検出する画像センサ（カメラ）、居室３１５への人の入退室をドアの開錠および閉錠により検出するドアセンサ、居室３１５内のインターホンや電化製品に対する人の操作を検出するホームオートメーション端末装置３１４などが用いられる。
人検出センサ３１３によりある乗場階で人が検出された後、一定時間（例えば、１週間）が経過してもエレベータ３００の利用が無い場合、病気や事故などにより住人３１１または来訪者（以下、住人３１１という）が居室３１５やエレベータ乗場で倒れているような異常事態の発生が考えられる。
このような場合に、後述するエレベータ通報装置２００（図示省略）は、異常事態の発生を所定の通報先３１２（例えば、管理人、家族、知人）に通報する。
【０００９】
図２は、実施の形態１におけるエレベータ制御盤１００の機能構成図である。
実施の形態１におけるエレベータ制御盤１００について、図２に基づいて以下に説明する。
【００１０】
エレベータ制御盤１００は、エレベータ３００の昇降制御やエレベータ呼びの発生の有無に基づく通報制御など、エレベータ装置の各種制御を実行する。
例えば、エレベータ制御盤１００は、エレベータ昇降制御装置１１０およびエレベータ通報装置２００を備える。
【００１１】
エレベータ昇降制御装置１１０は、乗場呼びパネル３０１、行先呼びパネルやホームオートメーション端末装置３１４（居室呼び装置）から発生したエレベータ呼びに応じて、エレベータかごを昇降させると共に、エレベータ呼びが発生した乗場階または居室を示す呼び発生通知をエレベータ通報装置２００に出力する。
乗場呼びパネル３０１は各エレベータ乗場に設置され、行先呼びパネルは各エレベータかご内に設置され、ホームオートメーション端末装置３１４は各居室３１５内に設置される。但し、実施の形態１におけるエレベータ通報システム１０１ではホームオートメーション端末装置３１４は不要である。
【００１２】
乗場呼びパネル３０１およびホームオートメーション端末装置３１４は、設置されている乗場階にエレベータかごを呼び寄せるためのボタンとして、上の階への移動用の上ボタンと下の階への移動用の下ボタンとを有する。上ボタンまたは下ボタンが押下された乗場呼びパネル３０１およびホームオートメーション端末装置３１４は、エレベータかごの乗場階への移動を要求する乗場呼び（エレベータ呼びの一例）をエレベータ昇降制御装置１１０に出力する。
行先呼びパネルは、各乗場階への移動用のボタンやエレベータドアの開閉用のボタンを有する。移動用のボタンが押下された場合、行先呼びパネルは押下されたボタンに対応する乗場階へのエレベータかごの移動を要求する行先呼び（エレベータ呼びの一例）をエレベータ昇降制御装置１１０に出力する。
【００１３】
エレベータ通報装置２００は、以下のものを備えて、エレベータ呼びの発生の有無に基づく通報制御を行う。
【００１４】
乗場階人検出部２２０（検出階特定部の一例）は、各乗場階に設置されている人検出センサ３１３から出力された人検出信号を入力し、入力した人検出信号に基づいて人の検出がされた乗場階（以下、検出階という）を特定する。
そして、乗場階人検出部２２０は、後述する乗場階属性データ３４０に対して、人が検出された「検出日時」を設定する。
【００１５】
エレベータ呼び検出部２３０は、エレベータ昇降制御装置１１０から出力された呼び発生通知に基づいて、エレベータ呼びを検出し、エレベータ呼びが発生した乗場階を特定する。
そして、エレベータ呼び検出部２３０は、エレベータ呼びを検出した際に、後述する乗場階属性データ３４０に対して、「検出日時」を初期化する。
【００１６】
時間検出部２５０は、乗場階人検出部２２０により検出階の特定がされてから所定の時間の経過を検出する。
【００１７】
通報制御部２１０（通報部）は、時間検出部２５０により所定の時間の経過が検出されるまでにエレベータ呼び検出部２３０により検出階のエレベータ呼びが検出されなかった場合、検出階の確認を要求する通報を所定の通報先３１２に発信する。
【００１８】
図３は、実施の形態１における通報条件設定データ３３０および乗場階属性データ３４０を示す図である。
通報条件設定データ記憶部２９０は、図３に示すような通報条件設定データ３３０および乗場階属性データ３４０を記憶する。
【００１９】
通報条件設定データ３３０には、エレベータ通報機能の通報条件が予め設定されている。
「ＩＤ」および「パスワード」はそれぞれ、管理者の識別番号およびパスワードを示す。
「エレベータ通報機能」は、エレベータ通報機能が有効であるか（ＯＮ）または無効であるか（ＯＦＦ）を示す。
「通報条件」は、エレベータ呼びが発生しない場合（該乗場階へのエレベータ応答なし時）と、エレベータ呼びが発生した場合（該乗場階へのエレベータ応答あり時）とのいずれの場合を通報の対象とするかを示す。実施の形態１では、「通報条件」に“該乗場階へのエレベータ応答なし時”が設定されている場合について説明する。
「通報までの期間」（所定の時間）は、「通報条件」が“該乗場階へのエレベータ応答なし時”を示す場合に設定され、通報要否の判定用の期間を示す。例えば、「通報までの期間」には、“１週間”と設定される。
「乗場監視モード」は、「通報条件」が“該乗場階へのエレベータ応答あり時”を示す場合に設定される。「乗場監視モード」については実施の形態２で説明する。
「通報時間帯」は、「通報条件」が“該乗場階へのエレベータ応答あり時”を示す場合に設定される。「通報時間帯」については実施の形態２で説明する。
【００２０】
乗場階属性データ３４０には、「階床」毎に、「用途」、「居住者数」および「検出日時」が設定されている。
「用途」は、当該階が“住居階”であるか又はそれ以外の階（駐車場階、玄関階、屋上など）であるかを示す。
「居住者数」は、当該階に住んでいる住人３１１がいるか否かを人数により示す。
「検出日時」は、乗場階人検出部２２０により設定され、当該階において人検出センサ３１３により人が検出された日時を示す。また、「検出日時」は、当該階からの乗場呼びの発生時に、エレベータ呼び検出部２３０により初期化される。初期化されるまでに複数回、人が検出された場合、「検出日時」は、更新されず、最初の検出日時を示す。
【００２１】
図２において、乗場監視モード選択部２４０は、通報条件設定データ３３０に設定されている「乗場監視モード」の判定を行う。
通報条件設定データ入力部２７０は、通報条件設定データ３３０に対する利用者（例えば、管理者）の指定値を入力する。
通報条件設定データ変更部２６０は、通報条件設定データ入力部２７０により入力された指定値に基づいて、通報条件設定データ３３０の設定値を変更する。
乗場監視モード選択部２４０、通報条件設定データ入力部２７０および通報条件設定データ変更部２６０の詳細については、他の実施の形態で説明する。
【００２２】
エレベータ制御盤１００は、ＣＰＵおよびメモリ（記憶機器）を備える。
エレベータ昇降制御装置１１０およびエレベータ通報装置２００の各部は、それぞれの機能に用いる各種データ（例えば、通報条件設定データ３３０、乗場階属性データ３４０）をメモリに記憶し、それぞれの機能をＣＰＵを用いて実行する。
【００２３】
図４は、実施の形態１におけるエレベータ通報方法を示すフローチャートである。
実施の形態１におけるエレベータ通報方法について、図４に基づいて以下に説明する。
エレベータ通報装置２００の各部は、通報条件設定データ３３０および乗場階属性データ３４０の設定値に基づいて、以下の各処理を実行する。
【００２４】
＜Ｓ１１０＞
まず、通報制御部２１０は、「エレベータ通報機能」が“ＯＮ（有効）”であるか判定する。
Ｓ１１０において“ＮＯ”の場合、以降の処理（Ｓ１２０〜Ｓ１６０）は行われず、エレベータ通報装置２００の処理は終了する。
【００２５】
＜Ｓ１２０＞
Ｓ１１０において“ＹＥＳ”の場合、通報制御部２１０は、全階床に対して以降の処理（Ｓ１３０〜Ｓ１６０）が実行されたか判定する。
Ｓ１２０において“ＹＥＳ”の場合、エレベータ通報装置２００は処理を終了する。
【００２６】
＜Ｓ１３０＞
Ｓ１２０において“ＮＯ”の場合、通報制御部２１０は、最下床（地下１階）から昇順に未処理の階床を選択し、選択した「階床」の「用途」が“住居階”であるかを判定する。
以下、選択された階床を「処理階床」という。
Ｓ１３０において“ＮＯ”の場合、Ｓ１２０に戻り、残りの未処理の階床に対して処理が実行される。
【００２７】
＜Ｓ１４０＞
Ｓ１３０において“ＹＥＳ”の場合、通報制御部２１０は、処理階床で人が検出されたか判定する。このとき、通報制御部２１０は、「検出日時」が設定されている場合に、処理階床で人が検出されたと判定する。
Ｓ１４０において“ＮＯ”の場合、Ｓ１２０に戻り、残りの未処理の階床に対して処理が実行される。
【００２８】
＜Ｓ１５０＞
Ｓ１４０において“ＹＥＳ”の場合、時間検出部２５０は、「検出日時」から「通報までの期間」（例えば、１週間）が経過したかを判定する。時間検出部２５０は、タイマーとして動作し、「通報までの期間」の経過を検出してもよい。
Ｓ１５０において“ＮＯ”の場合、Ｓ１２０に戻り、残りの未処理の階床に対して処理が実行される。
【００２９】
＜Ｓ１６０＞
Ｓ１５０において“ＹＥＳ”の場合、通報制御部２１０は、処理階床で検出された住人３１１の安否確認を要求する通報を所定の通報先３１２（例えば、管理人）に発信する。
例えば、通報制御部２１０は、管理人室の端末装置に通報信号を送信して処理階床に対する通報を知らせるランプを点灯させる。
例えば、通報制御部２１０は、管理人室の端末装置に処理階床に対する所定の通報メッセージを送信して通報メッセージを表示させる。
【００３０】
Ｓ１６０の終了後、Ｓ１２０に戻り、残りの未処理の階床に対して上記と同様に処理が実行される。
【００３１】
Ｓ１１０〜Ｓ１６０は、定期的に（例えば、毎日）実行される。
【００３２】
実施の形態１では、所定の人又は場所（通報先）に異常の発生を通報するエレベータ通報装置２００について説明した。
エレベータ通報装置２００は、乗場階人検出部２２０、時間検出部２５０および通報制御部２１０を備える。
乗場階人検出部２２０は各乗場階に人がいることを検出し、時間検出部２５０は所定時間を検出し、通報制御部２１０は乗場階人検出部２２０が人を検出してから時間検出部２５０が所定時間を検出するまで乗場階にエレベータが応答しない場合に異常を通報する。
【００３３】
現代の高齢化社会により老人の一人暮らしが増えている中、集合住宅などにおいて、住居内などのエレベータ外で住人に異常事態が発生した場合に、住人がそのまま放置されてしまうことがないようにすることが求められる。
エレベータ通報装置２００は、エレベータ外で住人に異常事態が発生したことを検出し、外部に異常を知らせることにより、住人がそのまま放置されてしまうことを防ぐことができる。
【００３４】
実施の形態２．
実施の形態２では、特定の時間帯にエレベータが使用された場合に、不法侵入が生じたことを通報する形態について説明する。
以下、実施の形態１で説明しなかった事項および実施の形態１と異なる事項について主に説明し、説明を省略した事項については実施の形態１と同様であるものとする。
【００３５】
図３において、「通報条件」は、“該乗場階へのエレベータ応答あり時”を示す。
また、「乗場監視モード」は、不法侵入を監視するか（ＯＮ）または不法侵入を監視しないか（ＮＯ）を示す。
また、「通報時間帯」（所定の時間）は、不法侵入を監視する時間帯（２４時間または特定の時間帯）を示す。例えば、「通報時間帯」には、不使用の建物に対して“２４時間”と設定され、住人がいる一般の建物に対して“２時〜４時”などの深夜の時間帯が設定される。
【００３６】
図５は、実施の形態２におけるエレベータ通報方法を示すフローチャートである。
実施の形態２におけるエレベータ通報方法について、図５に基づいて以下に説明する。
エレベータ通報装置２００の各部は、通報条件設定データ３３０および乗場階属性データ３４０の設定値に基づいて、以下の各処理を実行する。
【００３７】
＜Ｓ２１０＞
まず、通報制御部２１０は、「エレベータ通報機能」が“ＯＮ（有効）”であるか判定する。
Ｓ２１０において“ＮＯ”の場合、以降の処理（Ｓ２２０〜Ｓ２６０）は行われず、エレベータ通報装置２００の処理は終了する。
【００３８】
＜Ｓ２２０＞
Ｓ２１０において“ＹＥＳ”の場合、通報制御部２１０は、「通報条件」が“該乗場階へのエレベータ応答なし時”であるか判定する。
Ｓ２２０において“ＹＥＳ”の場合、Ｓ２９０に進み、実施の形態１で説明したＳ１２０からＳ１６０の処理（図４（Ａ））が実行される。
【００３９】
＜Ｓ２３０＞
Ｓ２２０において“ＮＯ”の場合、乗場監視モード選択部２４０は、「乗場監視モード」が“ＯＮ（不法侵入を監視する）”であるかを判定する。
Ｓ２３０において“ＮＯ”の場合、エレベータ通報装置２００の処理は終了する。
【００４０】
＜Ｓ２４０＞
Ｓ２３０において“ＹＥＳ”の場合、時間検出部２５０は、現在の時刻が「通報時間帯」（例えば、深夜２時〜４時）であるか判定する。
Ｓ２４０において“ＮＯ”の場合、エレベータ通報装置２００の処理は終了する。
【００４１】
＜Ｓ２５０＞
Ｓ２４０において“ＹＥＳ”の場合、通報制御部２１０は、エレベータ応答があったか判定する。例えば、通報制御部２１０は、いずれかの階床の「検出日時」が設定されている場合に、エレベータ応答があったと判定する。また例えば、通報制御部２１０は、エレベータかごが昇降中である場合に、エレベータ応答があったと判定する。このとき、エレベータ呼び検出部２３０は、エレベータ昇降制御装置１１０と通信を行い、エレベータかごが昇降中であるか否かを検出し、検出結果を通報制御部２１０に出力する。
Ｓ２５０において“ＮＯ”の場合、エレベータ通報装置２００の処理は終了する。
【００４２】
＜Ｓ２６０＞
Ｓ２５０において“ＹＥＳ”の場合、通報制御部２１０は、建物内への不法侵入が生じたことを知らせる通報を所定の通報先３１２（例えば、管理人）に発信する。
【００４３】
Ｓ２１０〜Ｓ２６０は、定期的（例えば、数分間隔）に実行される。
【００４４】
実施の形態２では、所定の人又は場所（通報先）に異常の発生を通報するエレベータ通報装置２００について説明した。
エレベータ通報装置２００は、乗場監視モード選択部２４０、時間検出部２５０および通報制御部２１０を備える。
乗場監視モード選択部２４０は各乗場の状態を監視するか否かを示す乗場監視モードを判定し、時間検出部２５０は所定時間帯を検出し、通報制御部２１０は乗場監視モード（ＯＮ）が選択されていると共に所定時間帯に乗場にエレベータが応答した場合に異常を通報する。
【００４５】
実施の形態２では、夜間などエレベータがあまり使用されない時間帯や未使用のビルにおいて各乗場階でエレベータが応答した場合に外部への通報が行われるため、不法侵入者の発見が容易になる。
【００４６】
実施の形態３．
実施の形態３では、住人３１１の異常を居室毎に検出して通報を行う形態について説明する。
以下、実施の形態１で説明しなかった事項および実施の形態１と異なる事項について主に説明し、説明を省略した事項については実施の形態１と同様であるものとする。
【００４７】
実施の形態３では、各居室の住人は、居室に設置されているホームオートメーション端末装置３１４（居室呼び装置）を操作することにより、エレベータを呼び寄せるものとする。
【００４８】
図６は、実施の形態３における通報条件設定データ３３０を示す図である。
実施の形態３における通報条件設定データ３３０について、図６に基づいて以下に説明する。
【００４９】
通報条件設定データ３３０には、エレベータ通報機能の通報条件が居室毎に予め設定されている。
「住居番号」は、居室の識別番号を示す。
「通報要否」は、エレベータ通報機能が有効であるか（必要）または無効であるか（不要）を示す。
「ＩＤ」および「パスワード」はそれぞれ、住人の識別番号およびパスワードを示す。
「通報までの期間」は、通報要否の判定用の期間を示す。例えば、「通報までの期間」には、“１週間”と設定される。
「呼び寄せ日時」は、エレベータ呼び検出部２３０により設定され、当該居室のホームオートメーション端末装置３１４からエレベータ呼びが発生した最も新しい日時を示す。エレベータ呼び検出部２３０は、エレベータ昇降制御装置１１０からの呼び発生通知に基づいて、エレベータ呼びを検出し、エレベータ呼びが発生した居室を特定する。そして、エレベータ呼び検出部２３０は、エレベータ呼びを検出した際に、特定した居室の「呼び寄せ日時」を更新する。
「通報先」は、通報先が“管理人”であるか又は“管理人以外”であるかを示す。
「通報先詳細設定」は、「通報先」が“管理人以外”を示す場合に設定される。例えば、「通報先詳細設定」には、家族や知人のＥメールアドレスや電話番号が設定される。
【００５０】
図７は、実施の形態３におけるエレベータ通報方法を示すフローチャートである。
実施の形態３におけるエレベータ通報方法について、図７に基づいて以下に説明する。
エレベータ通報装置２００の各部は、通報条件設定データ３３０の設定値に基づいて、以下の各処理を実行する。
【００５１】
＜Ｓ３１０＞
まず、通報制御部２１０は、全階床に対して以降の処理（Ｓ３２０〜Ｓ３８０）が実行されたか判定する。
Ｓ３１０において“ＹＥＳ”の場合、エレベータ通報装置２００は処理を終了する。
【００５２】
＜Ｓ３２０＞
Ｓ３１０において“ＮＯ”の場合、通報制御部２１０は、最下床（地下１階）から昇順に未処理の階床を選択し、選択した「階床」の「用途」が“住居階”であるか判定する。
以下、選択された階床を「処理階床」という。
Ｓ３２０において“ＮＯ”の場合、Ｓ３１０に戻り、残りの未処理の階床に対して処理が実行される。
【００５３】
＜Ｓ３３０＞
Ｓ３２０において“ＹＥＳ”の場合、通報制御部２１０は、処理階床の全居室に対して以降の処理（Ｓ３４０〜Ｓ３８０）が実行されたか判定する。
Ｓ３３０において“ＹＥＳ”の場合、Ｓ３１０に戻り、残りの未処理の階床に対して処理が実行される。
【００５４】
＜Ｓ３４０＞
Ｓ３３０において“ＮＯ”の場合、通報制御部２１０は、処理階床の１号室から「住居番号」の昇順に未処理の居室を選択し、選択した居室の「通報要否」に“必要”が設定されているか判定する。
以下、選択された居室を「処理居室」という。
Ｓ３４０において“ＮＯ”の場合、Ｓ３３０に戻り、残りの未処理の居室に対して処理が実行される。
【００５５】
＜Ｓ３５０＞
Ｓ３４０において“ＹＥＳ”の場合、時間検出部２５０は、「呼び寄せ日時」から「通報までの期間」（例えば、１週間）が経過したか判定する。
Ｓ３５０において“ＮＯ”の場合、Ｓ３３０に戻り、残りの未処理の居室に対して処理が実行される。
【００５６】
＜Ｓ３６０＞
Ｓ３５０において“ＹＥＳ”の場合、通報制御部２１０は、処理居室の「通報先」が“管理人”であるか判定する。
【００５７】
＜Ｓ３７０＞
Ｓ３６０において“ＹＥＳ”の場合、通報制御部２１０は、処理居室の住人３１１の安否確認を要求する通報を管理人に発信する。
【００５８】
＜Ｓ３８０＞
Ｓ３６０において“ＮＯ”の場合、通報制御部２１０は、「通報先詳細設定」に設定されている通報先に通報を発信する。
例えば、通報制御部２１０は、「通報先詳細設定」に設定されているＥメールアドレス宛てに、所定の通報メッセージを記載したＥメールを送信する。
また例えば、通報制御部２１０は、「通報先詳細設定」に設定されている電話番号に電話をかけて所定の通報メッセージを音声出力する。
【００５９】
Ｓ３７０およびＳ３８０の終了後、Ｓ３３０に戻り、残りの未処理の居室に対して処理が実行される。
【００６０】
Ｓ３１０〜Ｓ３８０は、定期的（例えば、毎日）に実行される。
【００６１】
通報制御部２１０は、管理人と管理人以外の通報先とのいずれかではなく（Ｓ３６０〜Ｓ３８０）、管理人と管理人以外の通報先との両方に通報を行っても構わない。
【００６２】
実施の形態３は、実施の形態２で説明した不法侵入を通報する形態と組み合わせてもよい。つまり、通報条件設定データ３３０に「通報条件」を設け、「通報条件」が“エレベータ応答なし時”を示す場合に上記のＳ３１０〜Ｓ３８０が実行され、「通報条件」が“エレベータ応答あり時”を示す場合に実施の形態２で説明したＳ２３０〜Ｓ２６０が実行されても構わない。
【００６３】
実施の形態３では、所定の人又は場所（通報先）に異常の発生を通報するエレベータ通報装置２００について説明した。
エレベータ通報装置２００は、エレベータ呼び検出部２３０、時間検出部２５０および通報制御部２１０を備える。
エレベータ呼び検出部２３０は乗場の各居室に設置されたホームオートメーション端末装置３１４からエレベータを自階へ呼び寄せる操作を検出し、時間検出部２５０は所定時間を検出し、通報制御部２１０はエレベータ呼び検出部２３０がエレベータの呼び寄せ居室操作を検出しなくなってから時間検出部２５０が所定時間を検出した場合に居室の異常を通報する。
【００６４】
実施の形態３により、各乗場階の居室毎の異常検出が可能となり、居室を特定した形で外部に異常を通報することが可能となる。
【００６５】
実施の形態４．
実施の形態４では、通報条件設定データ３３０の設定方法について説明する。
【００６６】
図８は、実施の形態４における通報条件設定画面３２０を示す図である。
図９は、実施の形態４における通報条件設定データ３３０の設定方法を示すフローチャートである。
実施の形態４における通報条件設定画面３２０の設定方法について、図８および図９に基づいて以下に説明する。
【００６７】
＜Ｓ４１０＞
管理人は、通報条件設定データ３３０の設定または変更をしたい場合、管理人室の端末装置３１６からＬＡＮ、インターネット、電話回線などの通信網を介してエレベータ通報装置２００にアクセスする。
管理人室の端末装置３１６は、通報条件設定画面３２０を表示する。
【００６８】
＜Ｓ４２０＞
通報条件設定画面３２０には、通報条件設定データ３３０の各項目について、設定値を指定するためのチェックボックスやテキストボックスが設けられている。
管理人は、マウスやキーボードなどの入力機器を用いて、通報条件設定画面３２０に対して指定値を入力し、設定ボタン３２１を押下して指定値をエレベータ通報装置２００に送信する。
エレベータ通報装置２００の通報条件設定データ入力部２７０は、端末装置３１６から通報条件設定画面３２０に対する指定値を受信し、受信した指定値を通報条件設定データ変更部２６０に出力する。
【００６９】
＜Ｓ４３０＞
通報条件設定データ変更部２６０は、通報条件設定データ入力部２７０から出力された指定値を入力し、入力した「ＩＤ」および「パスワード」の指定値が通報条件設定データ３３０の設定値と一致する場合、入力したその他の指定値を通報条件設定データ３３０に設定する。
【００７０】
図６の通報条件設定データ３３０も同様にして設定することができる。
各住人３１１は、パーソナルコンピュータ、携帯電話またはホームオートメーション端末装置３１４などの端末装置３１６を用いてエレベータ通報装置２００にアクセスし、通報条件設定画面３２０に対して指定値を入力することにより、通報条件設定データ３３０の各項目を設定する。
【００７１】
実施の形態４では、以下のようなエレベータ通報装置２００について説明した。
エレベータ通報装置２００は、通報条件設定データ記憶部２９０、通報条件設定データ入力部２７０および通報条件設定データ変更部２６０を備える。
通報条件設定データ記憶部２９０は通報条件設定データ３３０を記憶し、通報条件設定データ入力部２７０は時間検出部２５０で検出する時間や所定の人や場所を示す通報先などの設定データを入力し、通報条件設定データ変更部２６０は入力した設定データで通報条件設定データ３３０を変更する。
【００７２】
実施の形態４により、エレベータの使用時間帯や通報先の変更が常時可能になる。
【図面の簡単な説明】
【００７３】
【図１】各実施の形態におけるエレベータ通報システム１０１のイメージ図。
【図２】実施の形態１におけるエレベータ制御盤１００の機能構成図。
【図３】実施の形態１における通報条件設定データ３３０および乗場階属性データ３４０を示す図。
【図４】実施の形態１におけるエレベータ通報方法を示すフローチャート。
【図５】実施の形態２におけるエレベータ通報方法を示すフローチャート。
【図６】実施の形態３における通報条件設定データ３３０を示す図。
【図７】実施の形態３におけるエレベータ通報方法を示すフローチャート。
【図８】実施の形態４における通報条件設定画面３２０を示す図。
【図９】実施の形態４における通報条件設定データ３３０の設定方法を示すフローチャート。
【符号の説明】
【００７４】
１００  エレベータ制御盤、１０１  エレベータ通報システム、１１０  エレベータ昇降制御装置、２００  エレベータ通報装置、２１０  通報制御部、２２０  乗場階人検出部、２３０  エレベータ呼び検出部、２４０  乗場監視モード選択部、２５０  時間検出部、２６０  通報条件設定データ変更部、２７０  通報条件設定データ入力部、２９０  通報条件設定データ記憶部、３００  エレベータ、３０１  乗場呼びパネル、３１１  住人、３１２  通報先、３１３  人検出センサ、３１４  ホームオートメーション端末装置、３１５  居室、３１６  端末装置、３２０  通報条件設定画面、３２１  設定ボタン、３３０  通報条件設定データ、３４０  乗場階属性データ。
【図１】
0005311872.tif 000002
【図２】
0005311872.tif 000003
【図３】
0005311872.tif 000004
【図４】
0005311872.tif 000005
【図５】
0005311872.tif 000006
【図６】
0005311872.tif 000007
【図７】
0005311872.tif 000008
【図８】
0005311872.tif 000009
【図９】
0005311872.tif 000010